(57)【特許請求の範囲】
【請求項１】
被写体を撮像する撮像手段と、
被写体に向けて発光する発光手段と、
本撮像に先立ち前記発光手段を予備発光させると共に、該予備発光させたときの前記撮像手段による撮像結果に基づいて本発光量を定めて、本撮像のために前記発光手段を本発光させる発光制御手段と、
前記発光手段を予備発光させたときに前記撮像手段で撮像された画像から、人物の瞳部分の色を検出する検出手段と、を備え、
前記発光制御手段は、前記検出手段で検出した前記瞳部分の色が所定の色相並びに明度の範囲内の場合は、予備発光後、所定の赤目軽減待ち時間が経過するまで本発光を待機させる、
ことを特徴とするカメラ。
【請求項２】
前記発光制御手段は、撮像環境に応じて赤目軽減待ち時間を可変する、
ことを特徴とする請求項１に記載のカメラ。
【請求項３】
赤目軽減待ち時間中であることを報知する報知手段を更に有する、
ことを特徴とする請求項１又は請求項２に記載のカメラ。
【発明の詳細な説明】
【技術分野】
【０００１】
本発明は、人物の顔検出機能およびフラッシュを備えたカメラに関する。
【背景技術】
【０００２】
人間は、暗い場所に一定時間以上いると眼の瞳孔が開いた状態になる。このときに、フラッシュ撮影をすると、フラッシュの閃光が網膜に正反射して、赤目現象が発生することがある。従来、この赤目現象の対策として、カメラのレンズとフラッシュ発光部とを離すことで、網膜から正反射した光が写りこまないようにする方法がある。しかし、コンパクトカメラなどでは、サイズという物理的な制約から、この方法を用いることが困難であるため、多くのカメラでは、フラッシュを予備発光させることで、被写体の瞳孔を収縮させるという方法を用いている。
また、撮影した画像から顔を検出して、眼の部分が赤くなっていたら、周辺の色などから瞳の色を推測して、撮影した画像を補正したり（例えば、特許文献１、特許文献２）、他の画像から抽出した瞳の色で撮影した画像を補正したりするものもある（例えば、特許文献３）。
【特許文献１】特開２００５−１９１６８７号公報
【特許文献２】特開２００５−１６７６９７号公報
【特許文献３】特開２００５−０９４５７１号公報
【発明の開示】
【発明が解決しようとする課題】
【０００３】
しかしながら、予備発光により赤目を軽減する方法においては、フラッシュ発光の実施／非実施／自動に加えて、赤目軽減の実施／非実施をユーザが指定する必要があるため、操作が煩雑になるという問題がある。また、撮影した画像を補正する方法においては、特に人物が小さく写っている場合など、本来と異なる色で補正してしまうことがあるという問題がある。
【０００４】
本発明は、このような事情に鑑みてなされたもので、その目的は、ユーザに煩雑な操作などの負担を与えることなく適正な撮影画像が得られるカメラを提供することにある。
【課題を解決するための手段】
【０００５】
この発明は上述した課題を解決するためになされたもので、請求項１に記載の発明は、被写体を撮像する撮像手段と、被写体に向けて発光する発光手段と、本撮像に先立ち前記発光手段を予備発光させると共に、該予備発光させたときの前記撮像手段による撮像結果に基づいて本発光量を定めて、本撮像のために前記発光手段を本発光させる発光制御手段と、前記発光手段を予備発光させたときに前記撮像手段で撮像された画像から、人物の瞳部分の色を検出する検出手段と、を備え、前記発光制御手段は、前記検出手段で検出した前記瞳部分の色が所定の色相並びに明度の範囲内の場合は、予備発光後、所定の赤目軽減待ち時間が経過するまで本発光を待機させる、ことを特徴とするカメラである。
【０００６】
また、請求項２に記載の発明は、請求項１に記載のカメラであって、前記発光制御手段は、撮像環境に応じて赤目軽減待ち時間を可変する、ことを特徴とする。
【０００７】
また、請求項３に記載の発明は、請求項１又は請求項２に記載のカメラであって、赤目軽減待ち時間中であることを報知する報知手段を更に有する、ことを特徴とする。
【発明の効果】
【０００８】
この発明によれば、撮像時に発光手段を予備発光した画像から、検出手段が検出した瞳部分の色が所定の色相並びに明度の範囲内の場合は、赤目軽減待ち時間が経過した後に、発光手段を発光して撮像することで、赤目が発生する状況においても、ユーザが赤目軽減モードなどの指定操作をすることなく、赤目を軽減した画像の撮影が可能なため、簡単な操作で適正な撮影画像が得られるという効果がある。
【０００９】
また、この発明によれば、撮像環境に応じて赤目軽減待ち時間を可変とするため、赤目が発生し易い暗い環境においても、赤目軽減待ち時間を長くとることで、赤目を軽減した画像の撮影が可能なため、適正な撮影画像が得られるという効果がある。
【００１０】
また、この発明によれば、赤目軽減待ち時間中は、報知手段により報知されるため、被写体となっている人物が、撮影が終わったと勘違いして動いてしまうことを防げるため、適正な撮影画像が得られるという効果がある。
【発明を実施するための最良の形態】
【００１１】
以下、図面を参照して、本発明の実施の形態について説明する。図１は、本発明の実施形態に係るカメラの全体構成を示すブロック図である。本実施形態では、本発明に係るカメラの一例としてデジタルカメラを挙げて説明する。
【００１２】
本実施形態のデジタルカメラは、ズームレンズ１、アイリス（絞り）２、フォーカスレンズ３、撮像素子（ＣＣＤ）４、ズームモータ５、アイリスモータ６、フォーカスモータ７、タイミング発生器８、ＣＤＳＡＭＰ回路９およびフラッシュ２８を有している。ここで、ズームレンズ１、アイリス２、フォーカスレンズ３及び撮像素子４は、被写体を撮像する撮像手段をなしている。
【００１３】
アイリスモータ６は、アイリス２の開度を変更する絞り可変部をなしている。タイミング発生器８は、シャッタースピードを変更するシャッタースピード可変部をなしている。ＣＤＳＡＭＰ(Corelated Double Sampling Amplifier)回路９は、撮像手段の出力をなす撮像素子４の出力について、増幅度を可変するゲイン可変部をなしている。そして、アイリスモータ６と、タイミング発生器８と、ＣＤＳＡＭＰ回路９と、フラッシュ２８とは、撮像手段における露光状態を変更する露光変更手段を構成している。
【００１４】
ズームレンズ１の位置は、ズームモータ５により移動可能とされている。アイリス２の開度は、アイリスモータ６により制御可能とされている。フォーカスレンズ３の位置は、フォーカスモータ７により制御可能とされている。ズームレンズ１、アイリス２及びフォーカスレンズ３を介された被写体像光は、撮像素子４の受光面に結像される。
【００１５】
撮像素子４は、その受光面に結像された被写体像光を光電変換する。撮像素子４としては、ＣＣＤ(Charge Coupled Device)撮像素子、ＣＭＯＳ(Complementary MOS)撮像素子などが用いられる。撮像素子４の前面には、色フィルタが配列されている。色フィルタの配列の構成としては、Ｒ（赤）、Ｇ（緑）、Ｂ（青）の原色系フィルタを用いる場合と、Ｃｙ（シアン）、Ｍｇ（マゼンタ）、Ｙｅ（黄色）の補色系フィルタを用いる場合とがある。撮像素子４は、タイミング発生器８からのタイミング信号により駆動される。
【００１６】
フラッシュ２８は、ＣＰＵ１９からの指示に従ったタイミング、光量で、閃光を発する。光量には、本発光と予備発光の２種類があり、予備発光は、発光後に短時間で本発光を行なえるように、本発光より抑えられた光量である。
【００１７】
また、本実施形態のデジタルカメラは、Ａ／Ｄコンバータ１０、画像入力コントローラ１１、画像信号処理回路１２、画像圧縮／伸長回路１３、ビデオエンコーダ１４、画像表示装置１５、モータドライバ１６，１７，１８、ＣＰＵ１９、ＡＦ検出回路２０、ＡＥ及びＡＷＢ検出回路２１、メモリ２２、ＶＲＡＭ２３、メディアコントローラ２４、記録メディア２５及び顔検出回路２６を有している。また、本実施形態のデジタルカメラは、シャッタースイッチＳＷ１、記録／再生スイッチＳＷ２、ズームスイッチＳＷ３、フラッシュモードスイッチＳＷ４及び撮影モード選択スイッチＳＷ５を有している。
【００１８】
Ａ／Ｄコンバータ１０は、撮像素子４が出力し、ＣＤＳＡＭＰ回路９を介して入力された画像信号を、デジタル化する。画像入力コントローラ１１は、Ａ／Ｄコンバータ１０の出力した画像信号をＣＰＵ１９に供給する。
画像信号処理回路１２は、入力された画像信号に対して、ガンマ補正、エッジ強調、ホワイトバランス等の画像処理を行なう。これらの画像処理を行うためのパラメータは、ＣＰＵ１９により設定される。
画像圧縮／伸長回路１３は、入力された画像信号を圧縮符号化する。画像データの圧縮方式としては、例えば、ＪＰＥＧ(Joint Photographic Experts Group)が用いられる。ＪＰＥＧはＤＣＴ(Discrete Cosine Transform)を用いて画像圧縮するための規格である。なお、画像データの圧縮方式は、ＪＰＥＧに限定されるものではない。
ＶＲＡＭ（Video RAM）２３は、画像表示装置１５に表示する画像のデータを格納するためのメモリである。
ビデオエンコーダ１４は、ＶＲＡＭ２３に格納されている画像データを読み出し、該画像データに基づき、コンポーネントカラービデオ信号を形成して、画像表示装置１５に出力する。画像表示装置１５は、入力されたコンポーネントカラービデオ信号に基づき、カラー画像を表示するＬＣＤ(Liquid Crystal Display)等のディスプレイである。
【００１９】
ＡＦ(Automatic Focus)検出回路２０は、撮像素子４の出力に基づいてＡＦを行うためのものである。ＡＦ検出回路２０は、フォーカス制御を行うために、画像信号の高周波成分レベルを検出する。つまり、合焦点では、画像信号の高周波成分レベルが大きくなる。したがって、画像信号の高周波成分レベルを検出すれば、合焦状態が判断できる。ＡＦ検出回路２０により、画像信号の高周波成分レベルが検出され、この画像信号の高周波成分レベルが所定のフォーカスエリアの間積分されて、ＡＦ評価値が求められる。求められたＡＦ評価値がＣＰＵ１９に供給される。
【００２０】
顔検出回路２６は、撮像素子４の出力した画像信号に含まれている人物の顔を検出し、次の手順で、人物の瞳部分の色を抽出する。まず、顔検出回路２６は、画像信号の中から肌色の領域を抽出する。次に、先に抽出した領域に対して輝度変化に基づき輪郭線抽出を行い、相対的に両目と口の位置となる配置に、両目と口が存在するかを確認する。両目と口が存在する場合は、該領域を人物の顔とみなし、さらに、該領域の両目中心付近の瞳部分の色を抽出して、ＣＰＵ１９へ出力する。
【００２１】
ＡＥ及びＡＷＢ検出回路２１は、露光及びホワイトバランスを行うために、撮像素子４の出力した画像信号に基づいて、以下の手順で露光制御信号及びホワイトバランス制御信号を形成し、これらの信号をＣＰＵ１９へ出力する。
露光制御信号とは画像の明るさを示す輝度評価値のことを言う。ＡＥ及びＡＷＢ検出回路２１は、入力された画像信号に対して、画像全体の輝度の平均値を算出し、これを輝度評価値とする。このとき、顔検出回路２６が検出した顔の領域に重みを付けて輝度の平均値を算出してもよい。
【００２２】
また、ホワイトバランス制御信号とは、ＢゲインとＲゲインのことを言う。ここで、Ｂゲインは、ホワイトバランス制御における、各画素の青色成分に掛ける倍率であり、Ｒゲインは、各画素の赤色成分に掛ける倍率である。なお、ホワイトバランス制御では、各画素の３原色のうち、緑色成分は変更せず（１倍）、青色成分と赤色成分に対して、それぞれＢゲインとＲゲインを掛けることで、３原色のバランスを制御する。ＡＥ及びＡＷＢ検出回路２１は、画像全体の赤、青、緑色成分それぞれの平均値を算出し、緑色成分の平均値を青色成分の平均値で割った値をＢゲイン、緑色成分の平均値を赤色成分の平均値で割った値をＲゲインとする。
【００２３】
ＣＰＵ１９は、本デジタルカメラ全体を制御する演算手段であり、本実施形態では、フラッシュモード制御部２７を備える。フラッシュモード制御部２７の詳細については、フラッシュを用いた撮影時の動作説明にて詳述する。また、ＣＰＵ１９には、シャッタースイッチＳＷ１、記録／再生スイッチＳＷ２、ズームスイッチＳＷ３、フラッシュモードスイッチＳＷ４、撮影モード選択スイッチＳＷ５などから入力信号が与えられる。また、ＣＰＵ１９からは、ズームレンズ１を移動させるためのズーム駆動信号、フォーカスレンズ３を移動させるためのフォーカス駆動信号、アイリス２を開閉させるためのアイリス駆動信号、ＣＤＳＡＭＰ回路９のゲインを制御するためのゲイン制御信号が出力される。
メモリ２２は、ＣＰＵ１９を動作させるためのプログラムを格納した不揮発性のメモリであるＲＯＭ（Read Only Memory）および、ＣＰＵ１９が動作する際のワークメモリとして用いられる揮発性のメモリであるＲＡＭ（Random Access Memory）である。
【００２４】
シャッタースイッチＳＷ１は、記録モード時に押されると画像を撮影するスイッチである。
記録／再生スイッチＳＷ２は、画像を撮影する記録モード、又は、撮影した画像を画像表示装置１５に表示する再生モードに、本デジタルカメラを設定するスイッチである。
ズームスイッチＳＷ３は、記録モード時にズームレンズ１を移動させるスイッチである。
フラッシュモードスイッチＳＷ４は、フラッシュ２８の発光モードとして、自動発光／強制発光／発光禁止を設定するスイッチである。
撮影モード選択スイッチＳＷ５は、セルフタイマモード、連写モード、単写モード、ブラケットモードなどのなかから、撮影状況などに応じて一つの撮影モードを選択するためのスイッチである。
【００２５】
メディアコントローラ２４は、記録メディア２５にデータを読み書きする機能である。
記録メディア２５は、圧縮符号化された画像信号が画像ファイルとして記録されるメディアであり、例えばフラッシュメモリを使ったカード型の着脱自在のメモリが用いられる。なお、記録メディア２５としては、デジタルカメラ内蔵の不揮発メモリ、磁気テープ、磁気ディスク、光ディスクなどを適用してもよい。
【００２６】
次に、本デジタルカメラの電源ＯＮ時からの動作を説明する。電源スイッチ（図示せず）の操作にて本デジタルカメラの主電源がＯＮ／ＯＦＦされる。電源ＯＮされると、本デジタルカメラは、メモリ、ズーミング、ＤＳＰ、各種ドライバ（１６、１７、１８）などの初期化を行う。
【００２７】
記録／再生スイッチＳＷ２が記録モードに設定されているときは、画像撮影時以外でも、撮像素子４は、定期的に画像を取込み、ＣＤＳＡＭＰ回路９、Ａ／Ｄ変換１０および画像入力コントローラ１１を介して、画像信号がＣＰＵ１９に入力される。ＣＰＵ１９は、このデジタル画像信号を画像信号処理回路１２に出力する。
【００２８】
画像信号処理回路１２は、ＣＰＵ１９から画像信号を入力されると、この画像信号に対して、ガンマ補正、エッジ強調、ホワイトバランス制御等の画像処理を行ない、その結果の画像信号を出力する。この画像信号は、ＣＰＵ１９を介して、画像データとしてＶＲＡＭ２３に格納される。ビデオエンコーダ１４は、ＶＲＡＭ２３に格納されている画像データを参照して、コンポーネントカラービデオ信号を形成し、このコンポーネントカラービデオ信号を画像表示装置１５に出力する。画像表示装置１５は、このコンポーネントカラービデオ信号を表示するので、画像表示装置１５には、撮影中のモニタ画像が表示される。
【００２９】
また、ＣＰＵ１９は、画像信号処理回路１２に入力した画像信号を、ＡＥ＆ＡＷＢ検出回路２１にも入力して、その結果、露光制御信号とホワイトバランス制御信号を取得する。次に、ＣＰＵ１９は、露光制御信号に基づき、アイリス駆動信号とゲイン設定信号を出力する。そして、アイリス駆動信号はモータドライバ１７を介してアイリスモータ６に供給され、所定の信号レベルとなるように、アイリス２の開度が制御される。また、ゲイン設定信号はＣＤＳＡＭＰ回路９に供給され、所定の信号レベルとなるように、ＣＤＳＡＭＰ回路９のゲインが制御される。ＣＰＵ１９は、ホワイトバランス制御信号に基づき、画像信号処理回路１２にＢゲインおよびＲゲインを設定する。このように、いつでも撮影可能なように、露光およびホワイトバランスは、常に最適な状態に制御されている。
【００３０】
また、このときズームスイッチＳＷ３が操作されると、これに応じて、ＣＰＵ１９がズーム駆動信号を出力する。このズーム駆動信号は、モータドライバ１６を介してズームモータ５に供給され、ズームモータ５によりズームレンズ１が移動される。
【００３１】
画像撮影時の動作を説明する。先ず、撮影モード選択スイッチＳＷ５が単写に選択されている場合を、図２を参照して説明する。まず、シャッタースイッチＳＷ１が押されて、ＣＰＵ１９のフラッシュモード制御部２７はこれを検知すると、フラッシュモードスイッチＳＷ４の設定内容を読取る（Ｓ１）。ここで、フラッシュモードスイッチＳＷ４の設定内容が強制発光だったとすると、ステップＳ２の判定条件である設定内容が強制発光であることが成り立つので、ステップＳ３に遷移する。ステップＳ３では、フラッシュモード制御部２７は、フラッシュ２８に対して予備発光の指示を送るとともに、タイミング発生器８にシャッター信号を送る。これにより、フラッシュ２８が予備発光したときの画像が、撮像素子４に取り込まれる。取込まれた画像は、記録／再生スイッチＳＷ２が記録モードに設定されているときの画像撮影時以外の動作と同様にして、画像表示装置１５に表示されるとともに、該画像に基づき露光およびホワイトバランスが制御される（Ｓ３）。
【００３２】
このとき、フラッシュモード制御部２７は、撮像素子４に取込まれた画像を画像信号として受け取り、これを顔検出回路２６へ出力する。顔検出回路２６は、画像信号を入力されると、該画像信号から人物の瞳部分の色を検出して、これをＣＰＵ１９へ出力する。フラッシュモード制御部２７は、顔検出回路２６がＣＰＵ１９へ出力した人物の瞳部分の色を受けると（Ｓ４）、この色が予め規定されている赤目の色相並びに明度の範囲内にあるか確認する（Ｓ５）。範囲内にある場合は、予め規定されている赤目軽減時間Ｔ２だけ待ってから（Ｓ６）、フラッシュ２８に対して、本発光の指示を送るとともに、画像撮影を行うために、タイミング発生器８にシャッター信号を送る（Ｓ７）。範囲外にある場合は、待ち時間を持たせることなく、フラッシュ２８に対して、本発光の指示を送るとともに、画像撮影を行うために、タイミング発生器８にシャッター信号を送る（Ｓ７）。
【００３３】
このようにして、範囲内の場合も範囲外の場合も、フラッシュ２８が本発光したときの画像が撮像素子４に取込まれる。撮像素子４は、取込んだ画像をアナログ画像信号にて出力する。このアナログ画像信号は、ＣＤＳＡＭＰ回路９によってゲイン制御され、Ａ／Ｄ変換１０でデジタル画像信号に変換される。このデジタル画像信号は、画像入力コントローラ１１を介してＣＰＵ１９に取り込まれる。その後、取り込まれたデジタル画像信号は、画像信号処理回路１２でガンマ補正、エッジ強調、ホワイトバランス、ＹＣ変換等の画像処理が施され、画像圧縮／伸長回路１３でデータ圧縮され、画像ファイルとして、記録メディア２５に記録される。
これにより、赤目が検出されなかった場合は、図３の（ａ）のように、予備発光Ｆ１と本発光Ｆ２の間の調光時間Ｔ１は、できるだけ短い時間になるように動作するが、赤目が検出された場合は、図３の（ｂ）のように、予備発光Ｆ３と本発光Ｆ４の間に赤目軽減待ち時間Ｔ２を置き、被写体となっている人物の瞳孔が収縮する時間を与えるようにしている。
【００３４】
また、フラッシュモードスイッチＳＷ４の設定内容が、発光禁止であった場合は、ステップＳ２の判定条件である設定内容が強制発光であることが成り立たないので、ステップＳ８に遷移する。さらに、この場合、ステップＳ８の判定条件である設定内容が自動発光であることも成り立たないので、ステップＳ１２に遷移する。ステップＳ１２では、フラッシュモード制御部２７は、タイミング発生器８にシャッター信号を送る。これにより、フラッシュ２８が発光していないときの画像が、撮像素子４に取り込まれる。取込まれた画像は、記録／再生スイッチＳＷ２が記録モードに設定されているときの画像撮影時以外の動作と同様にして、画像表示装置１５に表示されるとともに、該画像に基づき露光およびホワイトバランスが制御される（Ｓ１２）。次に、フラッシュモード制御部２７は、画像撮影を行うために、タイミング発生器８にシャッター信号を送る（Ｓ１３）。すると、フラッシュ２８を発光させないこと以外は、ステップＳ７のときと同様に動作して、撮影された画像が、画像ファイルとして、記録メディア２５に記録される。
【００３５】
また、フラッシュモードスイッチＳＷ４の設定内容が、自動発光であった場合は、ステップＳ２の判定条件である設定内容が強制発光であることが成り立たないので、ステップＳ８に遷移する。ステップＳ８の判定条件である設定内容が自動発光であることは、成立つので、ステップＳ９に遷移する。ステップＳ９では、フラッシュモード制御部２７は、タイミング発生器８にシャッター信号を送る。これにより、画像が撮像素子４に取り込まれる。取込まれた画像は、記録／再生スイッチＳＷ２が記録モードに設定されているときの画像撮影時以外の動作と同様にして、ＡＥ＆ＡＷＢ検出回路２１に入力され、ＡＥ＆ＡＷＢ検出回路２１は、この画像の輝度評価値を算出して、露光制御信号としてＣＰＵ１９に出力する。フラッシュモード制御部２７は、この輝度評価値を取得し（Ｓ９）、予め規定されている閾値と比較し（Ｓ１９）、閾値以下の場合は、フラッシュ２８の発光が必要と判断してステップＳ３に遷移する。ステップＳ３以降は、強制発光が設定されていた場合と同様に動作する。輝度評価値が、閾値を超えていた場合は、ステップＳ１１に遷移し、ステップＳ９にて取込んだ画像に基づき、記録／再生スイッチＳＷ２が記録モードに設定されているときの画像撮影時以外の動作と同様にして、画像表示装置１５に表示されるとともに、該画像に基づき露光およびホワイトバランスが制御される（Ｓ１１）。次に、フラッシュモード制御部２７は、画像撮影を行うために、タイミング発生器８にシャッター信号を送る（Ｓ１３）。すると、フラッシュ２８を発光させないこと以外は、ステップＳ７のときと同様に動作して、撮影された画像が、画像ファイルとして、記録メディア２５に記録される。
【００３６】
なお、本実施形態においては、ステップＳ５での赤目を判定するための色相並びに明度の範囲を予め規定しておくとして説明したが、これをＡＥ＆ＡＷＢ検出回路２１が算出する輝度評価値の大きさに応じて変更するようにしてもよい。すなわち、撮影場所が暗く、輝度評価値が小さい場合は、赤目が発生し易いと仮定し、赤目であると判定する色相並びに明度の範囲を広くし、反対に撮影場所が明るく、輝度評価値が大きい場合は、赤目が発生し難いと仮定し、赤目であると判定する色相並びに明度の範囲を狭めるようにしてもよい。これにより、赤目が発生しているのに、赤目の検出に失敗することや、赤目が発生していないのに、赤目であると判定してしまう判定ミスを防ぐことができる。
また、本実施形態においては、赤め軽減待ち時間Ｔ２を予め規定されているとして説明したが、これをＡＥ＆ＡＷＢ検出回路２１が算出する輝度評価値の大きさに応じて変更するようにしてもよい。すなわち、撮影場所が暗く、輝度評価値が小さい場合は、赤目が発生し易いと仮定し、赤目軽減待ち時間Ｔ２を長い時間とし、反対に撮影場所が明るく、輝度評価値が大きい場合は、赤目が発生し難いと仮定し、赤目軽減待ち時間Ｔ２を短い時間としてもよい。
【００３７】
また、顔検出回路２６が検出した瞳部分の色の赤味の程度を、フラッシュモード制御部２７が判定して、赤味が強い場合は、赤目軽減待ち時間中に、さらにフラッシュ２８を発光させることで、赤目の軽減をはかってもよい。
また、フラッシュモード制御部２７により、赤目が検出されて、赤目軽減待ち時間に入っていることを、フラッシュ２８を間欠発光させたり、ＬＥＤ（図示せず）を点灯あるいは点滅させたりするなどの視覚的手段や、ビープ音を鳴らすなどの聴覚的手段を用いて、被写体となっている人物に知らせてもよい。これにより、被写体となっている人物が、撮影が終了したと誤解して、動いてしまうことを防ぐことができる。
【００３８】
次に、撮影モード選択スイッチＳＷ５が連写に選択され、連写モードで撮影する場合の動作を説明する。連写モードとは、シャッタースイッチＳＷ１が押されると、規定のコマ数を連続して撮影するモードであり、各コマの撮影に関する動作は、単写モードにおいて、ＣＰＵ１９がタイミング発生器８にシャッター信号を送ってから後の動作と同様である。
【００３９】
記録／再生スイッチＳＷ２が再生側に操作されると、再生モードに設定される。再生モードでは、ＣＰＵ１９によりメディアコントローラ２４を介して、記録メディア２５の画像ファイルが開かれ、画像データが読み出される。ＣＰＵ１９は、記録メディア２５から読み出した画像データを、画像圧縮／伸長回路１３に供給する。画像圧縮／伸長回路１３は、画像データの伸長処理を行い、その結果の画像データをＶＲＡＭ２３に格納する。ビデオエンコーダ１４は、ＶＲＡＭ２３の画像データを参照して、コンポーネントカラービデオ信号を生成して、これを画像表示装置１５に供給する。画像表示ため、記録メディア２５に格納画像表示装置１５に再生画像が映出される。
【００４０】
以上、この発明の実施形態を、図面を参照して詳述してきたが、具体的な構成はこの実施形態に限られるものではなく、この発明の要旨を逸脱しない範囲の設計等も含まれる。
【図面の簡単な説明】
【００４１】
【図１】この発明の一実施形態によるデジタルカメラの構成を示すブロック図である。
【図２】本実施形態におけるフラッシュモード制御部２７の動作を説明するフローチャートである。
【図３】本実施形態における予備発光と本発光の関係を説明する図である。
【符号の説明】
【００４２】
１…ズームレンズ
２…アイリス
３…フォーカスレンズ
４…撮像素子
５…ズームモータ
６…アイリスモータ
７…フォーカスモータ
８…タイミング発生器
９…ＣＤＳＡＭＰ
１０…Ａ／Ｄ変換
１１…画像入力コントローラ
１２…画像信号処理回路
１３…画像圧縮／伸長回路
１４…ビデオエンコーダ
１５…画像表示装置
１６、１７、１８…モータドライバ
１９…ＣＰＵ
２０…ＡＦ検出回路
２１…ＡＥ＆ＡＷＢ検出回路
２２…メモリ
２３…ＶＲＡＭ
２４…メディアコントローラ
２５…記録メディア
２６…顔検出回路
２７…フラッシュモード制御部
２８…フラッシュ
【図１】
0004649550.tif 000002
【図２】
0004649550.tif 000003
【図３】
0004649550.tif 000004